(57)【要約】【課題】光レセプタクルにおける反射部の位置ずれに伴う分光比率の変動を少なくし、反射部の要求位置精度を緩和しうる光レセプタクルを提供すること。【解決手段】本発明の光レセプタクルは、発光素子から出射された光を入射させる第１光学面と、第１光学面で入射した光の一部を信号光として透過させる第１透過部と、第１光学面で入射した光の他の一部をモニター光と信号光とに分離させる光分離部と、第１透過部を透過した信号光と光分離部で分離された信号光とを光伝送体の端面に向けて出射させる第２光学面と、モニター光を検出素子に向けて出射させる第３光学面とを有する。光分離部は、反射部と、第２透過部とを有する。第１光学面で入射し、第２光学面で出射する光の光軸を中心軸とし、中心軸から第１光学面と第２光学面のうち大きいほうの半径までの領域を光学有効領域としたとき、第１透過部と複数の第２透過部のうち２以上とは、光学有効領域内にある。【選択図】図１
2019049656.tif 000002
【特許請求の範囲】
【請求項１】
発光素子および前記発光素子から出射された出射光を監視するための検出素子を含む光電変換装置と、光伝送体との間に配置されたときに、前記発光素子と前記光伝送体の端面とを光学的に結合するための光レセプタクルであって、
前記発光素子から出射された光を入射させる第１光学面と、
前記第１光学面で入射した光の一部を、前記光伝送体の端面に向かう信号光として透過させる第１透過部と、
前記第１光学面で入射した光の他の一部を、前記検出素子に向かうモニター光と前記光伝送体の端面に向かう信号光とに分離させる光分離部と、
前記第１透過部を透過した信号光と前記光分離部で分離された信号光とを、前記光伝送体の端面に向けて出射させる第２光学面と、
前記光分離部で分離されたモニター光を前記検出素子に向けて出射させる第３光学面と、
を有し、
前記光分離部は、
前記第１光学面で入射した光の光軸に対する傾斜面であって、前記光分離部に入射した光の一部を、前記モニター光として前記第３光学面に向けて反射させる反射部と、
前記反射部と前記第１透過部との間に配置され、前記光分離部に入射した光の他の一部を、前記信号光として透過させる複数の第２透過部とを有し、
前記第１光学面で入射し、前記第２光学面で出射する光の光軸を中心軸とし、前記中心軸から前記第１光学面と第２光学面のうち大きいほうの半径と同じ距離だけ離れた面を外縁とする領域を光学有効領域としたとき、前記第１透過部と前記複数の第２透過部のうち２以上とが、前記光学有効領域内に含まれる、
光レセプタクル。
【請求項２】
前記複数の第２透過部は、前記第１透過部と接している、
請求項１に記載の光レセプタクル。
【請求項３】
前記第１光学面で入射した光の光軸に対して垂直な断面において、前記第２透過部の幅は、前記第１透過部に近づくにつれて大きくなる、
請求項１または２に記載の光レセプタクル。
【請求項４】
前記第２透過部を透過した信号光は、前記第２光学面で初めて前記光レセプタクルの外部に出射される、
請求項１〜３のいずれか一項に記載の光レセプタクル。
【請求項５】
前記第２透過部は、前記第１光学面と前記第２光学面との間の光路上に配置され、かつ前記光分離部で分離された信号光の光軸に対して垂直な透過面をさらに有し、
前記光レセプタクルは、前記透過面と前記第２光学面との間の光路上に配置され、かつ前記透過面から前記光レセプタクルの外部に出射された信号光を、前記光レセプタクルの内部に再度入射させる第４光学面をさらに有する、
請求項１〜３のいずれか一項に記載の光レセプタクル。
【請求項６】
前記第１光学面と前記第１透過部との間の光路上、および前記第１光学面と前記光分離部との間の光路上に配置され、前記第１光学面で入射した光を前記第１透過部および前記光分離部に向かって反射させるための反射面をさらに有する、
請求項１〜５のいずれか一項に記載の光レセプタクル。
【請求項７】
基板と、前記基板上に配置された発光素子と、前記基板上に配置され、前記発光素子から出射された出射光を監視するための検出素子とを有する光電変換装置と、
請求項１〜６のいずれか一項に記載の光レセプタクルと、
を有し、
前記第１透過部と前記複数の第２透過部のうち２以上とが、前記発光素子から出射され、前記第１光学面で入射した光の光束内にある、
光モジュール。
【発明の詳細な説明】
【技術分野】
【０００１】
本発明は、光レセプタクルおよび光モジュールに関する。
【背景技術】
【０００２】
従来、光ファイバーや光導波路などの光伝送体を用いた光通信には、面発光レーザー（例えば、ＶＣＳＥＬ：Vertical Cavity Surface Emitting Laser）などの発光素子を備えた光モジュールが使用されている。光モジュールは、発光素子から出射された通信情報を含む光を、光伝送体の端面に入射させる光レセプタクルを有する。
【０００３】
また、光モジュールには、温度変化に対する発光素子の出力特性の安定化や光出力の調整を目的として、発光素子から出射された光の強度や光量を監視（モニター）するための検出素子を有するものがある。
【０００４】
たとえば、特許文献１には、発光素子および検出素子を含む光電変換装置と、発光素子と光伝送体の端面とを光学的に接続させる光レセプタクルとを有する光モジュールが記載されている。光レセプタクルは、発光素子から出射された光を入射させる第１の面と、第１の面で入射した光を光伝送体の端面に向かって反射させるための第１の反射面と、第１の反射面で反射した光の一部を、光伝送体の端面に向かう信号光として透過させる透過部と、第１の反射面で反射した光の残部を、検出素子に向かうモニター光として反射させる第２の反射面と、透過部を透過した信号光を、光伝送体の端面に集光するように出射する第２の面と、第２の反射面で反射されたモニター光を、検出素子に向けて出射させる第３のレンズ面と、を有する。
【０００５】
特許文献１に記載の光モジュールでは、発光素子から出射された光は、第１の面で入射する。第１の面で入射した光は、第１の反射面で反射された後、一部は信号光として透過部を透過し、残部はモニター光として第２の反射面で反射される。透過部を透過した信号光は、光伝送体の端面に向けて第２の面から出射される。一方、第２の反射面で反射されたモニター光は、検出素子の受光面に向けて第３のレンズ面から出射される。
【先行技術文献】
【特許文献】
【０００６】
【特許文献１】特開２０１３−２４９１８号公報
【発明の概要】
【発明が解決しようとする課題】
【０００７】
しかしながら、特許文献１に示される光モジュールでは、光レセプタクルにおける第２の反射面（以下、「反射部」という）の高さ方向の位置が狙いの位置から少しでもずれていると（反射部の位置精度が低いと）、透過部を信号光として透過する光と、反射部でモニター光として反射される光との分光比率が比較的大きく変動しやすい。このような分光比率の変動を少なくするためには、光レセプタクルにおける反射部の位置精度をできるだけ高くすることが望まれる。しかしながら、そのような光レセプタクルを得ようとすると、製造に用いられる金型コストが増大しやすいという問題があった。
【０００８】
本発明は、上記事情に鑑みてなされたものであり、光レセプタクルにおける反射部の位置ずれに伴う、信号光とモニター光との分光比率の変動を少なくし、反射部の要求位置精度を緩和しうる光レセプタクルを提供することを目的とする。また、本発明の目的は、光レセプタクルを有する光モジュールを提供することでもある。
【課題を解決するための手段】
【０００９】
本発明に係る光レセプタクルは、発光素子および前記発光素子から出射された出射光を監視するための検出素子を含む光電変換装置と、光伝送体との間に配置されたときに、前記発光素子と前記光伝送体の端面とを光学的に結合するための光レセプタクルであって、前記発光素子から出射された光を入射させる第１光学面と、前記第１光学面で入射した光の一部を、前記光伝送体の端面に向かう信号光として透過させる第１透過部と、前記第１光学面で入射した光の他の一部を、前記検出素子に向かうモニター光と前記光伝送体の端面に向かう信号光とに分離させる光分離部と、前記第１透過部を透過した信号光と前記光分離部で分離された信号光とを、前記光伝送体の端面に向けて出射させる第２光学面と、前記光分離部で分離されたモニター光を前記検出素子に向けて出射させる第３光学面と、を有し、前記光分離部は、前記第１光学面で入射した光の光軸に対する傾斜面であって、前記光分離部に入射した光の一部を、前記モニター光として前記第３光学面に向けて反射させる反射部と、前記反射部と前記第１透過部との間に配置され、前記光分離部に入射した光の他の一部を、前記信号光として透過させる複数の第２透過部とを有し、前記第１光学面で入射し、前記第２光学面で出射する光の光軸を中心軸とし、前記中心軸から前記第１光学面と第２光学面のうち大きいほうの半径と同じ距離だけ離れた面を外縁とする領域を光学有効領域としたとき、前記第１透過部と前記複数の第２透過部のうち２以上とが、前記光学有効領域内に含まれる、構成を採る。
【００１０】
本発明に係る光モジュールは、基板と、前記基板上に配置された発光素子と、前記基板上に配置され、前記発光素子から出射された出射光を監視するための検出素子とを有する光電変換装置と、本発明に係る光レセプタクルと、を有し、前記第１透過部と前記複数の第２透過部のうち２以上とが、前記発光素子から出射され、前記第１光学面で入射した光の光束内にある、構成を採る。
【発明の効果】
【００１１】
本発明によれば、光レセプタクルにおける反射部の位置ずれに伴う、信号光とモニター光との分光比率の変動を少なくし、反射部の要求位置精度を緩和しうる光レセプタクルを提供することができる。
【図面の簡単な説明】
【００１２】
【図１】図１は、実施の形態１に係る光モジュールの断面図である。
【図２】図２Ａ〜Ｃは、実施の形態１に係る光レセプタクルの構成を示す図である。
【図３】図３は、図２ＡのＡ−Ａ線断面における要部の部分拡大断面図である。
【図４】図４は、実施の形態１に係る光レセプタクルの構成を示す部分拡大断面図である。
【図５】図５は、比較用の光モジュールの断面図である。
【図６】図６は、図５のＢ−Ｂ線断面において、第１光学面で入射した光の光軸と同じ高さの光と第１透過部との位置関係を示す断面図である。
【図７】図７は、図１の光分離部近傍の部分拡大断面図である。
【図８】図８は、図７のＢ−Ｂ線断面において、第１光学面で入射した光の光軸と同じ高さの光と、第１透過部および複数の第２透過部との位置関係を示す断面図である。
【図９】図９は、実施の形態２に係る光モジュールの断面図である。
【図１０】図１０Ａ〜Ｃは、実施の形態２に係る光レセプタクルの構成を示す図である。
【図１１】図１１は、実施の形態２に係る光レセプタクルの構成を示す部分拡大断面図である。
【図１２】図１２は、実施の形態３に係る光モジュールの断面図である。
【図１３】図１３Ａ〜Ｃは、実施の形態３に係る光レセプタクルの構成を示す図である。
【図１４】図１４ＡおよびＢは、変形例に係る光レセプタクルの、第１光学面で入射した光の光軸に垂直な断面における第２透過部の断面形状を示す部分拡大断面図である。
【図１５】図１５は、変形例に係る光モジュールの断面図である。
【発明を実施するための形態】
【００１３】
以下、本発明に係る実施の形態について、図面を参照して詳細に説明する。
【００１４】
［実施の形態１］
（光モジュールの構成）
図１は、実施の形態１に係る光モジュール１００の断面図である。図１には、光モジュール１００の光路を示している。なお、図１では、光レセプタクル１４０内の光路を示すために光レセプタクル１４０の断面へのハッチングを省略している。
【００１５】
図１に示されるように、光モジュール１００は、発光素子１２２を含む基板実装型の光電変換装置１２０と、光レセプタクル１４０と、を有する。光モジュール１００は、送信用の光モジュールであり、光レセプタクル１４０に光伝送体１６０がフェルール１６２を介して結合（以下、接続ともいう）されて使用される。光伝送体１６０の種類は、特に限定されず、光ファイバー、光導波路などが含まれる。本実施の形態では、光伝送体１６０は、光ファイバーである。光ファイバーは、シングルモード方式であってもよいし、マルチモード方式であってもよい。光伝送体１６０の数は、特に限定されない。本実施の形態では、光伝送体１６０の数は、１本である。
【００１６】
光電変換装置１２０は、基板１２１と、１個の発光素子１２２と、１個の検出素子１２３と、を有する。
【００１７】
基板１２１は、たとえば、ガラスコンポジット基板やガラスエポキシ基板、フレキブシル基板などである。基板１２１上には、発光素子１２２と、検出素子１２３とが配置されている。
【００１８】
発光素子１２２は、基板１２１上に配置されており、発光素子１２２が配置された基板１２１の設置部に対して垂直方向にレーザー光を出射する。発光素子１２２の数は、特に限定されない。本実施の形態では、発光素子１２２の数は、１個である。また、発光素子１２２の位置も、特に限定されない。発光素子１２２は、例えば垂直共振器面発光レーザー（ＶＣＳＥＬ）である。
【００１９】
検出素子１２３は、発光素子１２２から出射された出射光Ｌの出力（例えば、強度や光量）を監視するためのモニター光Ｌｍを受光する。検出素子１２３は、例えばフォトディテクターである。検出素子１２３の数は、特に限定されない。本実施の形態では、検出素子１２３の数は、１個である。また、検出素子１２３からの反射光が光レセプタクル１４０内に戻ることを防止する観点から、検出素子１２３へ入射するモニター光Ｌｍの光軸は、検出素子１２３の検出面１２６に対して傾斜していてもよい。
【００２０】
光レセプタクル１４０は、光電変換装置１２０の基板１２１上に配置されている。光レセプタクル１４０は、光電変換装置１２０と光伝送体１６０との間に配置された状態で、発光素子１２２の発光面１２４と光伝送体１６０の端面１２５とを光学的に結合（以下、接続ともいう）させる。以下、光レセプタクル１４０の構成について詳細に説明する。
【００２１】
（光レセプタクルの構成）
図２Ａ〜Ｃ、図３および図４は、本実施の形態に係る光レセプタクル１４０の構成を示す図である。図２Ａは、光レセプタクル１４０の平面図であり、図２Ｂは、底面図であり、図２Ｃは、正面図である。図３は、図２ＡのＡ−Ａ線断面における要部の部分拡大断面図である。図４は、本実施の形態に係る光レセプタクル１４０の構成を示す部分拡大断面図である。
【００２２】
図２Ａ〜Ｃ、図３および図４に示されるように、光レセプタクル１４０は、透光性を有し、発光素子１２２の発光面１２４から出射された出射光Ｌの一部を、信号光Ｌｓとして光伝送体１６０の端面１２５に向けて出射させ、他の一部を、モニター光Ｌｍとして検出素子１２３に向けて出射させる。光レセプタクル１４０は、第１光学面１４１、反射面１４２、第１透過部１４３、光分離部１４４、第２光学面１４５、および第３光学面１４６を有する。光分離部１４４は、反射部１４４Ａおよび複数の第２透過部１４４Ｂを有する。本実施の形態では、第１光学面１４１、第１透過部１４３、反射部１４４Ａ、第２光学面１４５および第３光学面１４６の数は、それぞれ１個である。
【００２３】
光レセプタクル１４０は、光通信に用いられる波長の光に対して透光性を有する材料を用いて形成される。そのような材料の例には、ポリエーテルイミド（ＰＥＩ）や環状オレフィン樹脂などの透明な樹脂が含まれる。また、例えば、光レセプタクル１４０は、射出成形により製造される。
【００２４】
第１光学面１４１は、発光素子１２２から出射された出射光Ｌを屈折させて光レセプタクル１４０の内部に入射させる光学面である。第１光学面１４１は、発光素子１２２から出射された出射光Ｌを、コリメート光、収束光、または拡散光に変換させうる。本実施の形態では、第１光学面１４１は、発光素子１２２から出射された出射光Ｌをコリメート光に変換させる。本実施の形態では、第１光学面１４１の形状は、発光素子１２２に向かって凸状の凸レンズ面である。また、第１光学面１４１の平面視形状は、円形状である。第１光学面１４１の中心軸は、発光素子１２１の発光面１２４に対して垂直であることが好ましい。また、第１光学面１４１の中心軸は、発光素子１２２から出射された出射光Ｌの光軸と一致することが好ましい。
【００２５】
反射面１４２は、光レセプタクル１４０の天面側に形成された傾斜面であり、第１光学面１４１と第１透過部１４３との間の光路上および第１光学面１４１と光分離部１４４との間の光路上に配置されている。反射面１４２は、第１光学面１４１で入射した光（発光素子１２２から出射された出射光Ｌ）を、第１透過部１４３および光分離部１４４に向かって反射させる。反射面１４２は、光レセプタクル１４０の底面から天面に向かうにつれて、第２光学面１４５（光伝送体１６０）に近づくように傾斜している。本実施の形態では、反射面１４２の傾斜角度は、第１光学面１４１で入射した出射光Ｌの光軸に対して４５°である。反射面１４２には、第１光学面１４１で入射した出射光Ｌが、臨界角より大きな入射角で内部入射する。これにより、反射面１４２は、入射した出射光Ｌを基板１２１の表面に沿う方向に全反射させる。
【００２６】
第１透過部１４３は、第１光学面１４１で入射した光の一部を、光伝送体１６０の端面１２５に向かう信号光Ｌｓとして透過させる領域である。第１透過部１４３は、光分離部１４４の複数の第２透過部１４４Ｂと接するように配置されている。
【００２７】
光分離部１４４は、第１光学面１４１で入射した光の他の一部（好ましくは残部）を、第３光学面１４６（または検出素子１２３）に向かうモニター光Ｌｍと、第２光学面１４５（または光伝送体１６０の端面１２５）に向かう信号光Ｌｓとに分離させる。光分離部１４４は、反射部１４４Ａおよび複数の第２透過部１４４Ｂを有する。
【００２８】
反射部１４４Ａは、光レセプタクル１４０の天面側に配置されている。反射部１４４Ａは、第１光学面１４１で入射した光の光軸に対する傾斜面であり、光分離部１４４に入射した光の一部を第３光学面１４６に向けて反射させる。本実施の形態では、反射部１４４Ａは、光レセプタクル１４０の天面から底面に向かうにつれて第２光学面１４５（光伝送体１６０）に近づくように傾斜した傾斜面である。傾斜面の傾斜角は、第１光学面１４１で入射した光の光軸に対して４５°である。
【００２９】
複数の第２透過部１４４Ｂは、反射部１４４Ａと第１透過部１４３との間に配置され、光分離部１４４に入射した前記他の一部の光の少なくとも一部（好ましくは前記他の一部の光のうち、反射部１４４Ａで反射された光以外の光）を、信号光Ｌｓとして透過させる。複数の第２透過部１４４Ｂは、第１透過部１４３と接していることが好ましい。
【００３０】
複数の第２透過部１４４Ｂと第１透過部１４３との境界１４８は、１個の第１透過部１４３に対して複数個の第２透過部１４４Ｂが形成されるように設定される（図３参照）。具体的には、複数の第２透過部１４４Ｂと第１透過部１４３との境界１４８は、複数の第２透過部１４４Ｂの谷部１４９（高さ方向において最も低い部分）同士を繋ぐ線または面である。本実施の形態では、複数の第２透過部１４４Ｂと第１透過部１４３との境界１４８は、第１光学面１４１で入射した光の光軸付近に位置している（後述する図８参照）。
【００３１】
第１光学面１４１で入射し、第２光学面１４５で出射する光の光軸を中心軸Ｃとし、中心軸Ｃから第１光学面１４１と第２光学面１４５のうち大きいほうの光学面の半径Ｒｍａｘと同じ距離だけ離れた面を外縁とする領域を光学有効領域Ａとしたとき、第１透過部１４３と、複数の第２透過部１４４Ｂのうち２個以上とが、いずれも光学有効領域Ａ内にある（図３および図４参照）。本実施の形態では、光学有効領域Ａは、中心軸Ｃから第２光学面１４５の半径と同じ距離だけ離れた面を外縁とする円柱状の領域である。それにより、第１透過部１４３と、複数の第２透過部１４４Ｂのうち２個以上とを、第１光学面１４１で入射し、かつ第２光学面１４５から出射される光の光束内に包含させることができる（図１参照）。
【００３２】
光学有効領域Ａ内に含まれる第２透過部１４４Ｂの数は、第２透過部１４４Ｂの断面積や求められる分光比率にもよるが、光分離部１４４の位置ずれに伴う分光比率の変動をより少なくする観点では、２〜２０個であることが好ましく、２〜１０個であることがより好ましい。
【００３３】
複数の第２透過部１４４Ｂは、互いに隣接して配置されてもよいし、間隔をあけて配置されてもよい。本実施の形態では、光分離部１４４の位置精度に伴う分光比率の変動をより少なくする観点などから、複数の第２透過部１４４Ｂは、互いに隣接して配置されている。
【００３４】
一般的に、発光素子１２２からの出射光は、光軸に近づくほど高い強度を有する。そのため、光軸近傍において、光分離部１４４の高さ方向の位置が少しでもずれると、モニター光Ｌｍと信号光Ｌｓの分光比率が比較的大きく変動しやすい。したがって、光分離部１４４の位置精度に伴う分光比率の変動を少なくする観点では、第１光学面１４１で入射した光Ｌの光軸に対して垂直な断面（または、反射面１４２で反射された光の光軸に対して垂直な断面）において、第２透過部１４４Ｂの幅は、少なくとも、第１光学面１４１で入射した光Ｌの光軸近傍に位置する境界１４８近傍において、所定の長さ以上、たとえば境界１４８の長さに対して５０％以上であることが好ましい。また、第１光学面１４１で入射した光Ｌの光軸に対して垂直な断面において、第２透過部１４４Ｂの幅は、第１透過部１４３に近づくにつれて、一定であるか、または大きくなることが好ましい。第２透過部１４４Ｂの幅とは、第１光学面１４１で入射した光Ｌの光軸に対して垂直な断面において、第１透過部１４３と第２透過部１４４Ｂとの境界１４８が延在する方向の長さ、すなわち、高さ方向に対して垂直な方向の長さである。高さ方向とは、光レセプタクル１４０の底面と天面とを結ぶ方向であって、第１透過部１４３または第２透過部１４４Ｂを透過する光の光軸に対して垂直な方向である。
【００３５】
第１光学面１４１で入射した光Ｌの光軸に対して垂直な断面において、第２透過部１４４Ｂの断面形状は、特に限定されず、多角形や弓形であってもよい。多角形の例には、三角形や矩形、台形などが含まれる。弓形とは、円弧または楕円弧の両端部を直線で結んだ形状であり、その例には、半円形などが含まれる。
【００３６】
光分離部１４４の位置精度に伴う分光比率の変動をより少なくする観点では、第１光学面１４１で入射した光Ｌの光軸に対して垂直な断面において、第２透過部１４４Ｂの幅は、第１透過部１４３に近づくにつれて大きくなることが好ましい。本実施の形態では、第２透過部１４４Ｂの断面形状は、境界１４８を底辺とする三角形である（図３参照）。
【００３７】
前述の通り、第１光学面１４１で入射した光Ｌの光軸に対して垂直な断面において、光学有効領域Ａに含まれる２個以上の第２透過部１４４Ｂの合計断面積は、光学有効領域Ａの断面積よりも小さい。具体的には、光学有効領域Ａに含まれる２個以上の第２透過部１４４Ｂの合計断面積は、光学有効領域Ａの断面積の３０〜８６％であることが好ましく、４０〜７６％であることがより好ましい。２個以上の第２透過部１４４Ｂの合計断面積が３０％以上であると、光分離部１４４（または反射部１４４Ａ）の位置が高さ方向にずれたときの、分光比率の変動を一層少なくしうる。２個以上の第２透過部１４４Ｂの合計断面積が８６％以下であると、反射部１４４Ａでモニター光Ｌｍとして反射される光が少なくなりすぎるのを抑制できる。
【００３８】
本実施の形態では、前述の通り、第１光学面１４１で入射した光Ｌの一部は、第１透過部１４３を透過し、光伝送体１６０の端面１２５に向かう信号光Ｌｓとなる。第１光学面１４１で入射した光の他の一部（好ましくは残部）は、光分離部１４４へ入射し、その一部は、反射部１４４Ａで反射されて、検出素子に向かうモニター光Ｌｍとなり、反射部１４４Ａで反射された光以外の光の少なくとも一部（好ましくは、反射部１４４Ａで反射された光以外の光）は、第２透過部１４４Ｂを透過し、光伝送体１６０の端面１２５に向かう信号光Ｌｓとなる。
【００３９】
信号光Ｌｓとモニター光Ｌｍとの光量比は、所望の光量の信号光Ｌｓを得つつ、発光素子１２２から出射された出射光Ｌの強度や光量を監視することができるモニター光Ｌｍを得ることができれば、特に限定されない。本実施の形態では、信号光Ｌｓは、第１透過部１４３を透過する信号光と、第２透過部１４４Ｂを透過する信号光とを足し合わせたものである。信号光Ｌｓとモニター光Ｌｍとの光量比は、信号光Ｌｓ：モニター光Ｌｍ＝６：４〜８：２であることが好ましい。信号光Ｌｓとモニター光Ｌｍとの光量比は、信号光Ｌｓ：モニター光Ｌｍ＝７：３であることがさらに好ましい。
【００４０】
また、本実施の形態では、第２透過部１４４Ｂは、それを透過した信号光Ｌｓが、第２光学面１４５で初めて光レセプタクル１４０の外部に出射されるように配置されている（図１参照）。すなわち、第２透過部１４４Ｂは、第１光学面１４１Ｂと第２光学面１４５との間の光路上に配置された、第２透過部１４４Ｂを透過する光を光レセプタクル１４０の外部に出射させる透過面を有していない。
【００４１】
第２光学面１４５は、第１透過部１４３を透過した信号光Ｌｓと、光分離部１４４で分離された信号光Ｌｓとを、光伝送体１６０の端面１２５に向けて出射させる光学面である。本実施の形態では、第２光学面１４５は、光レセプタクル１４０の正面に、光伝送体１６０の端面１２５と対向するように配置されている。第２光学面１４５の形状は、光伝送体１６０の端面１２５に向かって凸状の凸レンズ面である。これにより、第１光学面１４１で入射され、第１透過部１４３を透過した信号光Ｌｓと、光分離部１４４で分離された信号光Ｌｓとを集光させて、光伝送体１６０の端面１２５に効率良く接続させることができる。
【００４２】
第３光学面１４６は、光レセプタクル１４０の底面側に、検出素子１２３と対向するように配置されている。本実施の形態では、第３光学面１４６は、検出素子１２３に向かって凸状の凸レンズ面である。第３光学面１４６は、光分離部１４４の反射部１４４Ａで分離されたモニター光Ｌｍを収束させて検出素子１２３に向けて出射させる。これにより、モニター光Ｌｍを検出素子１２３に効率良く結合させることができる。第３光学面１４６の中心軸は、検出素子１２３の受光面（基板１２１）に対して垂直であることが好ましい。
【００４３】
（作用）
本実施の形態に係る光モジュール１００の作用について、比較用の光モジュールと対比しながら説明する。
【００４４】
図５は、比較用の光モジュール１０の構成を示す断面図である。比較用の光モジュール１０は、光レセプタクル１４が第２透過部を有しない以外は本実施の形態に係る光モジュール１００と同様に構成されている。図６は、図５のＢ−Ｂ線断面において、第１光学面４１で入射した光の光軸ＬＡと同じ高さの光と、第１透過部４３との位置関係を示す断面図である。図７は、図１の光分離部１４４近傍の部分拡大断面図である。図８は、図７のＢ−Ｂ線断面において、第１光学面１４１で入射した光の光軸ＬＡと同じ高さの光と、第１透過部１４３および複数の第２透過部１４４Ｂとの位置関係を示す断面図である。図６および図８においては、光軸ＬＡは黒く塗りつぶした円で示し、光軸ＬＡと同じ高さの光は黒い線で示し、光束の外縁は破線で示している。また、図６および図８の左側のグラフは、光軸ＬＡの高さと、光軸ＬＡと同じ高さの光がモニター光Ｌｍになる割合との関係を示している。
【００４５】
図５に示されるように、比較用の光モジュール１０では、発光素子１２２から出射された出射光Ｌは、第１光学面４１で光レセプタクル４０に入射される。第１光学面４１で入射した光は、反射面４２で反射された後、一部は、第１透過部４３を透過し、光伝送体１６０に向かう信号光Ｌｓとなり、他の一部（好ましくは残部）は、反射部４４Ａで反射されて、検出素子１２３に向かうモニター光Ｌｍとなる。第１透過部４３を透過し、光伝送体１６０に向かう信号光Ｌｓは、第２光学面４５から出射されて、光伝送体１６０の端面１２５に到達する。一方、検出素子１２３に向かうモニター光Ｌｍは、第３光学面４６から出射されて、検出素子１２３へ到達する。
【００４６】
このような比較用の光モジュール１０では、図６に示されるように、第１光学面４１で入射した光の光軸ＬＡが第１透過部４３内にあると、光軸ＬＡと同じ高さの光の全てが第１透過部４３を透過するため、光軸ＬＡと同じ高さの光についてのモニター光Ｌｍの割合は０％となる。一方、光軸ＬＡが第１透過部４３と反射部４４Ａとの境界に対して少しでも上方にあると、光軸ＬＡと同じ高さの光の全てが反射部４４Ａで反射されるため（図５参照）、光軸ＬＡと同じ高さの光についてのモニター光Ｌｍの割合は１００％となる。つまり、光軸ＬＡの位置が、第１透過部４３と反射部４４Ａとの境界に対して上方にずれるにつれて、光軸ＬＡと同じ高さの光についてのモニター光Ｌｍの割合は、０％から１００％まで非連続的に（急激に）増加する。
したがって、光レセプタクル１４における反射部４４Ａの位置ずれにより、第１光学面４１で入射した光の位置が設計位置に対して少しでも上方にずれると、モニター光Ｌｍは急激に増加しやすく、信号光Ｌｓの強度は急激に減少しやすい。それにより、第１透過部４３を透過する信号光Ｌｓと、反射部４４Ａで反射されるモニター光Ｌｍとの分光比率の変動が比較的大きい。
【００４７】
これに対して、図１および７に示されるように、本実施の形態に係る光モジュール１００では、発光素子１２２から出射された出射光Ｌは、第１光学面１４１で光レセプタクル１４０に入射される。第１光学面１４１で入射した光は、反射面１４２で反射された後、一部は、第１透過部１４３を透過して、光伝送体１６０に向かう信号光Ｌｓとなり、他の一部（好ましくは残部）は、光分離部１４４に入射する。光分離部１４４に入射した光の一部は、反射部１４４Ａで反射されて、検出素子１２３に向かうモニター光Ｌｍとなり、反射部１４４Ａで反射された光以外の光の少なくとも一部（好ましくは反射部１４４Ａで反射された光以外の光）は、第２透過部１４４Ｂを透過して、光伝送体１６０に向かう信号光Ｌｓとなる。第１透過部１４３を透過した信号光Ｌｓおよび第２透過部１４４Ｂを透過した信号光Ｌｓは、第２光学面１４５から出射されて、光伝送体１６０の端面１２５に到達する。一方、検出素子１２３に向かうモニター光Ｌｍは、第３光学面１４６から出射されて、検出素子１２３へ到達する。
【００４８】
このような本実施の形態に係る光モジュール１００では、図８に示されるように、第１光学面１４１で入射した光の光軸ＬＡが第１透過部１４３内にあると、光軸ＬＡと同じ高さの光の全てが第１透過部１４３を透過するので、光軸ＬＡと同じ高さの光についてのモニター光Ｌｍの割合は０％となる。一方、光軸ＬＡの位置が、第１透過部１４３と第２透過部１４４Ｂとの境界１４８に対して上方にずれるにつれて、光軸ＬＡと同じ高さの光のうち反射部１４４Ａで反射される光の割合が増え（図７参照）、第２透過部１４４Ｂを透過する光の割合が減るので、光軸ＬＡと同じ高さの光についてのモニター光Ｌｍの割合は徐々に増加する。そして、光軸ＬＡが、第２透過部１４４Ｂの頂点に到達すると、光軸ＬＡと同じ高さの光の全てが反射部１４４Ａで反射されるので（図７参照）、光軸ＬＡと同じ高さの光についてのモニター光Ｌｍの割合が１００％となる。つまり、光軸ＬＡの位置が、第１透過部１４３と第２透過部１４４Ｂとの境界１４８に対して上方にずれるにつれて、光軸ＬＡと同じ高さの光についてのモニター光Ｌｍの割合は、０％から１００％まで連続的に（緩やかに）増加する。
したがって、光レセプタクル１４０における光分離部１４４の位置ずれにより、第１光学面１４１で入射する光の位置が設計位置に対して上方にずれても、モニター光Ｌｍの強度は緩やかに増加しやすく、信号光Ｌｓの強度は緩やかに減少しやすい。それにより、信号光Ｌｓとモニター光Ｌｍとの分光比率の変動を少なくすることができる。
【００４９】
（効果）
以上のように、本実施の形態に係る光モジュール１００では、第１透過部１４３だけでなく、複数の第２透過部１４４Ｂをさらに有する。それにより、光レセプタクル１４０における光分離部１４４の位置ずれが生じても、モニター光Ｌｍと信号光Ｌｓとの分光比率の変動を少なくすることができる。それにより、光レセプタクル１４０における光分離部１４４の要求位置精度を緩和することができる。
【００５０】
［実施の形態２］
（光モジュールの構成）
実施の形態２に係る光モジュール２００は、光レセプタクル２４０の構成が実施の形態１に係る光モジュール１００と異なる。具体的には、本実施の形態に係る光レセプタクル２４０は、第２透過部２４４Ｂの形状が異なり、かつ第４光学面１４７をさらに有する点で、実施の形態１に係る光レセプタクル１４０と異なる。そこで、第２透過部２４４Ｂと第４光学面１４７についてのみ説明し、実施の形態１と同様の構成については、同一の符号を付してその説明を省略する。
【００５１】
図９は、実施の形態２に係る光モジュール２００の断面図である。図９には、光モジュール２００の光路を示している。なお、図９では、光レセプタクル２４０内の光路を示すために光レセプタクル２４０の断面へのハッチングを省略している。
【００５２】
図９に示されるように、光モジュール２００は、発光素子１２２を含む基板実装型の光電変換装置１２０と、光レセプタクル２４０と、を有する。
【００５３】
（光レセプタクルの構成）
図１０Ａ〜Ｃおよび図１１は、本実施の形態に係る光レセプタクル２４０の構成を示す図である。図１０Ａは、光レセプタクル２４０の平面図であり、図１０Ｂは、底面図であり、図１０Ｃは、正面図である。図１１は、本実施の形態に係る光レセプタクル２４０の構成を示す部分拡大断面図である。
【００５４】
図１０Ａ〜Ｃおよび図１１に示されるように、光レセプタクル２４０は、光分離部２４４の複数の第２透過部２４４Ｂの形状が異なり、かつ光分離部２４４（光分離部２４４の透過面２４４Ｃ）と第２光学面１４５との間の光路上に配置された第４光学面１４７をさらに有する以外は図１に示される実施の形態１に係る光レセプタクル１４０と同様に構成されている。
【００５５】
第２透過部２４４Ｂは、第１光学面１４１と第２光学面１４５との間の光路上に配置された、光分離部２４４で分離された信号光Ｌｓの光軸に対して垂直な透過面２４４Ｃを有する。垂直な面とは、光分離部２４４で分離された信号光Ｌｓの光軸に垂直な線に対して±５°以下の面、好ましくは０°の面である。透過面２４４Ｃは、光分離部２４４で分離された信号光Ｌｓを、光レセプタクル２４０の外部に出射させる。
【００５６】
第４光学面１４７は、光レセプタクル２４０の天面側に形成された、光分離部２４４で分離された信号光Ｌｓの光軸に対して垂直な面である。垂直な面とは、光分離部２４４で分離された信号光Ｌｓの光軸に垂直な線に対して±５°以下の面、好ましくは０°の面である。第４光学面１４７は、透過面２４４Ｃと第２光学面１４５との間の光路上に配置されている。第４光学面１４７は、光分離部２４４で分離され、光レセプタクル２４０の外部に出射された信号光Ｌｓを、光レセプタクル２４０内部に再度入射させる。これにより、光伝送体１６０の端面１２５に向かう信号光Ｌｓを屈折させることなく光レセプタクル１４０内に再度入射させることができる。
【００５７】
（作用）
図９に示されるように、本実施の形態に係る光モジュール２００では、第１光学面１４１で入射した光は、反射面１４２で反射された後、一部は、第１透過部１４３を透過して、光伝送体１６０に向かう信号光Ｌｓとなり、他の一部（好ましくは残部）は、光分離部２４４に入射する。光分離部２４４に入射した光の一部は、反射部１４４Ａで反射されて、検出素子１２３に向かうモニター光Ｌｍとなり、反射部１４４Ａで反射された光以外の光の少なくとも一部（好ましくは反射部１４４Ａで反射された光以外の光）は、第２透過部２４４Ｂを透過し、光伝送体１６０に向かう信号光Ｌｓとして、透過面２４４Ｃから光レセプタクル２４０の外部に出射される。透過面２４４Ｃから出射された信号光Ｌｓは、第４光学面１４７で、光レセプタクル２４０の内部に再度入射する。そして、第４光学面１４７で再度入射した信号光Ｌｓと第１透過部１４３を透過した信号光Ｌｓは、第２光学面１４５から出射されて、光伝送体１６０の端面１２５に到達する。
【００５８】
このように、本実施の形態に係る光モジュール２００では、実施の形態１と同様に、第１光学面１４１で入射した光の光軸ＬＡの位置が、第１透過部１４３と第２透過部２４４Ｂとの境界１４８に対して上方にずれるにつれて、光軸ＬＡと同じ高さの光についてのモニター光Ｌｍの割合は、連続的に（緩やかに）増加しやすい。
したがって、光レセプタクル２４０における光分離部２４４の位置ずれにより、第１光学面１４１で入射する光の位置が設計位置に対して上方にずれても、モニター光Ｌｍの強度は緩やかに増加しやすく、信号光Ｌｓの強度は緩やかに減少しやすい。それにより、信号光Ｌｓとモニター光Ｌｍとの分光比率の変動を少なくすることができる。
【００５９】
（効果）
以上のように、本実施の形態に係る光モジュール２００では、実施の形態１と同様に、
光レセプタクル２４０における光分離部２４４の位置ずれが生じても、モニター光Ｌｍと信号光Ｌｓとの分光比率の変動を少なくすることができる。それにより、光レセプタクル２４０における光分離部２４４の要求位置精度を緩和することができる。
【００６０】
［実施の形態３］
（光モジュールの構成）
実施の形態３に係る光モジュール３００は、光レセプタクル３４０がレンズアレイ型であり、光送信の多チャンネル化に対応できる構成となっている点で、実施の形態１に係る光モジュール１００と異なる。以下、実施の形態１と同様の構成については、同一の符号を付してその説明を省略する。
【００６１】
図１２は、実施の形態３に係る光モジュール３００の断面図である。図１２に示されるように、光モジュール３００は、発光素子１２２を含む基板実装型の光電変換装置３２０と、光レセプタクル３４０と、を有する。
【００６２】
本実施の形態に係る光モジュール３００では、光伝送体１６０は、多芯一括型のコネクター内に収容された状態で公知の取付手段を介して光レセプタクル３４０に取り付けられている。本実施の形態では、４本の光伝送体１６０が、一定間隔で１列に配列されている。なお、光伝送体１６０は、２列以上に配列されていてもよい。
【００６３】
光電変換装置３２０は、基板１２１と、複数の発光素子１２２と、複数の検出素子１２３と、を有する。発光素子１２２および検出素子１２３の数は、複数であれば特に限定されない。本実施の形態では、発光素子１２２および検出素子１２３の数は、それぞれ４個である。
【００６４】
４個の発光素子１２３は、基板１２１上に一列に配列されている。図１２では、４個の発光素子１２２は、紙面に垂直な方向に一列に配列されている。４個の発光素子１２２は、一定間隔で光伝送体１６０の配列方向に沿って配列されている。
【００６５】
４個の検出素子１２３は、基板１２１上に配置されている。４個の検出素子１２３は、４個の発光素子１２２に対応して一定間隔で１列に配列されている。
【００６６】
（光レセプタクルの構成）
図１２および図１３Ａ〜Ｃは、本実施の形態に係る光レセプタクル３４０の構成を示す図である。図１３Ａは、光レセプタクル３４０の平面図であり、図１３Ｂは、底面図であり、図１３Ｃは、正面図である。
【００６７】
図１３Ａ〜Ｃに示されるように、本実施の形態に係る光レセプタクル３４０は、複数の第１光学面１４１、反射面１４２、複数の第１透過部１４３、複数の反射部１４４Ａ、複数の第２透過部１４４Ｂ、複数の第２光学面１４５および複数の第３光学面１４６を有する。本実施の形態では、第１光学面１４１、第２光学面１４５、第１透過部１４３、および第３光学面１４６の数は、それぞれ４個である。
【００６８】
（効果）
本実施の形態に係る光モジュール３００は、実施の形態１の効果に加え、監視を伴う光送信の多チャンネル化に対応することができる。
【００６９】
なお、上記実施の形態１〜３では、第１光学面１４１で入射した光の光軸に垂直な断面において、光レセプタクル１４０、２４０、３４０の第２透過部１４４Ｂ、２４４Ｂの断面形状が三角形である例を示したが、これに限定されない。
【００７０】
図１４ＡおよびＢは、第１光学面１４１で入射した光の光軸に垂直な断面における、第２透過部の断面形状を示す部分拡大断面図である。図１４ＡおよびＢでは、図８と同様に、第１光学面１４１で入射した光の光軸に垂直な断面における、第１光学面１４１で入射した光の光軸ＬＡと同じ高さの光と、第１透過部１４３および複数の第２透過部３４４Ｂまたは４４４Ｂとの位置関係を示している。また、図１４ＡおよびＢの左側のグラフは、図８と同様に、光軸ＬＡの高さと、光軸ＬＡと同じ高さの光がモニター光Ｌｍになる割合との関係を示している。
【００７１】
図１４Ａに示されるように、第２透過部３４４Ｂの断面形状は、矩形状であってもよい。図１４Ａでは、光軸ＬＡの位置が、第１透過部１４３と反射部１４４Ａとの境界に対して上方にずれるにつれて、光軸ＬＡと同じ高さの光についてのモニター光Ｌｍの割合は、０％から１００％まで非連続的に増加するが、多段階で増加するので、分光効率の変動は緩やかになる。また、図１４Ｂに示されるように、第２透過部４４４Ｂの断面形状は、空気界面との境界が波形となるような形状であってもよい。
【００７２】
また、上記実施の形態１〜３では、光レセプタクル１４０、２４０、３４０がいずれも反射面１４２を有する例を示したが、これに限定されない。
【００７３】
図１５は、変形例に係る光モジュール４００の断面図である。図１５に示されるように、光モジュール４００は、発光素子１２２を含む光電変換装置４２０と、光レセプタクル４４０と、を有する。光レセプタクル４４０は、第１光学面１４１が、光レセプタクル４４０の背面に配置され、かつ反射面１４２を有しない以外は図１の光レセプタクル１４０と同様に構成されうる。光電変換装置４２０の基板４２１は、発光素子１２２が、光レセプタクル４４０の第１光学面１４１に対向し、かつ検出素子１２３が第３光学面１４６に対向するように配置される。
【００７４】
また、上記実施の形態１〜３では、光レセプタクル１４０、２４０、３４０の天面側において、反射面１４２と反射部１４４Ｂとが接しないように配置される例を示したが、これに限定されず、反射面１４２と反射部１４４Ｂとが接するように配置されてもよい。
【００７５】
また、上記実施の形態１〜３では、光レセプタクル１４０、２４０、３４０において、第１光学面１４１、第２光学面１４５および第３光学面１４６の形状が、いずれも凸レンズ面である例を示したが、これに限定されず、たとえば、平面などであってもよい。また、第１光学面１４１、第２光学面１４５および第３光学面１４６の平面視形状が、いずれも円形状である例を示したが、これに限定されない。
【００７６】
また、上記実施の形態３では、図１３ＡおよびＢにおいて、４個の第１光学面１４１を、いずれも送信用の第１光学面１４１として使用（光モジュール３００を送信用の光モジュールとして使用）する例を示したが、これに限定されない。たとえば、４個の第１光学面１４１を、いずれも受信用の第１光学面１４１として使用（光モジュール３００を、受信用の光モジュールとして使用）してもよいし、右側と左側のいずれか一方の２個の第１光学面１４１を、受信用の第１光学面１４１として使用（光モジュール３００を、送信用と受信用を兼ねた光モジュールとして使用）してもよい。
【００７７】
また、上記実施の形態１および３では、複数の第２透過部１４４Ｂを挟んで反射部１４４Ａと対向する面が傾斜面である例を示したが、これに限定されず、光分離部１４４で分離された信号光Ｌｓの光軸に対して垂直な面であってもよい。垂直な面とは、光分離部１４４で分離された信号光Ｌｓの光軸に垂直な線に対して±５°以下の面、好ましくは０°の面である。
【産業上の利用可能性】
【００７８】
本発明に係る光レセプタクルおよび光モジュールは、光伝送体を用いた光通信に有用である。
【符号の説明】
【００７９】
１００、２００、３００、４００  光モジュール
１２０、３２０、４２０  光電変換装置
１２１、４２１  基板
１２２  発光素子
１２３  検出素子
１２４  発光面
１２５  端面
１４０、２４０、３４０、４４０  光レセプタクル
１４１  第１光学面
１４２  反射面
１４３  第１透過部
１４４、２４４  光分離部
１４４Ａ  反射部
１４４Ｂ、２４４Ｂ、３４４Ｂ、４４４Ｂ  第２透過部
１４５  第２光学面
１４６  第３光学面
１４７  第４光学面
１４８  境界
１４９  谷部
１６０  光伝送体
１６２  フェルール
２４４Ｃ  透過面
Ｌ  出射光
Ｌｍ  モニター光
Ｌｓ  信号光
Ａ  光学有効領域
Ｒｍａｘ  半径
ＬＡ  光軸
【図１】
2019049656.tif 000003
【図２】
2019049656.tif 000004
【図３】
2019049656.tif 000005
【図４】
2019049656.tif 000006
【図５】
2019049656.tif 000007
【図６】
2019049656.tif 000008
【図７】
2019049656.tif 000009
【図８】
2019049656.tif 000010
【図９】
2019049656.tif 000011
【図１０】
2019049656.tif 000012
【図１１】
2019049656.tif 000013
【図１２】
2019049656.tif 000014
【図１３】
2019049656.tif 000015
【図１４】
2019049656.tif 000016
【図１５】
2019049656.tif 000017